(57)【要約】【課題】安価で小型の部品を用いて雷サージの対策を講じることができる負荷制御装置を提供する。【解決手段】本実施の形態に係る制御機３（負荷制御装置）は、異なる電位間に接続されるフォトトランジスタ３１２（スイッチング素子）と、該フォトトランジスタ３１２のオンオフを制御する制御部３２とを備え、前記フォトトランジスタ３１２のオンオフに伴って光源２４（負荷）をオンオフさせる制御機３において、前記フォトトランジスタ３１２に並列に接続されているツェナーダイオード３７と、前記フォトトランジスタ３１２の高電位側に、前記フォトトランジスタ３１２に直列に接続されている整流素子３８とを備えることを特徴とする。【選択図】図２
0003211461.tif 000002
【実用新案登録請求の範囲】
【請求項１】
異なる電位間に接続されるスイッチング素子と、
該スイッチング素子のオンオフを制御する制御部と
を備え、
前記スイッチング素子のオンオフに伴って負荷をオンオフさせる負荷制御装置において、
前記スイッチング素子に並列に接続されているツェナーダイオードと、
前記スイッチング素子の高電位側に、前記スイッチング素子に直列に接続されている整流素子と
を備えることを特徴とする負荷制御装置。
【請求項２】
前記整流素子はアバランシェダイオードであることを特徴とする請求項１に記載の負荷制御装置。
【請求項３】
前記スイッチング素子は、フォトカプラに含まれているフォトトランジスタであり、
前記制御部は、前記フォトカプラに含まれている発光ダイオードのオンオフを制御することによって前記フォトトランジスタのオンオフを制御するようにしてあることを特徴とする請求項１又は２に記載の負荷制御装置。
【請求項４】
請求項１から３の何れか一項に記載の負荷制御装置と、
該負荷制御装置が備えるスイッチング素子のオンオフに伴ってオンオフされる負荷と
を備えることを特徴とする負荷制御システム。
【請求項５】
前記スイッチング素子のオンオフに伴ってオンオフされる第２のスイッチング素子
を更に備え、
該第２のスイッチング素子のオンオフに伴って前記負荷への給電がオンオフされるようにしてあることを特徴とする請求項４に記載の負荷制御システム。
【請求項６】
前記第２のスイッチング素子は、フォトカプラに含まれているフォトトランジスタであり、
該フォトカプラに含まれている発光ダイオードは、前記整流素子の高電位側に、前記整流素子に直列に接続されていることを特徴とする請求項５に記載の負荷制御システム。
【請求項７】
前記負荷は光源であり、
該光源を用いて情報を表示し、前記負荷制御装置から離隔している電光掲示板と、
該電光掲示板及び前記負荷制御装置の間に配線され、前記スイッチング素子の高電位側の通電経路の一部を構成するケーブルと
を更に備えることを特徴とする請求項５又は６に記載の負荷制御システム。
【考案の詳細な説明】
【技術分野】
【０００１】
本考案は、負荷をオンオフさせる負荷制御装置及び負荷制御システムに関する。
【背景技術】
【０００２】
従来、複数の光源を用いて情報を表示する電光掲示板と、各光源をオンオフさせる制御機（負荷制御装置）とを備える電光掲示装置（負荷制御システム）が屋外で用いられている（非特許文献１参照）。電光掲示装置は屋外で用いられるので、雷サージ（雷の影響によって電気回路に生じる過電流）の対策を講じる必要が特にある。
【０００３】
図５は、従来の電光掲示装置の要部構成を示す回路図である。
図中６１は電光掲示板であり、電光掲示板６１は、光源６１０、フォトカプラ６１１、メカニカルリレー６１２、及び電源回路６１３，６１４を備える。光源６１０は、フォトカプラ６１１のオンオフに伴いオンオフされる。
図中６２は制御機であり、制御機６２は、制御部６２１、フォトカプラ６２２、メカニカルリレー６２３、及び電源回路６２４を備える。制御部６２１は、例えばＩＣを有し、フォトカプラ６２２のオンオフを制御する。メカニカルリレー６１２，６２３は、ケーブル６３を介して互いに接続されている。
【０００４】
制御部６２１がフォトカプラ６２２をオンにした場合、電源回路６２４からの給電によってメカニカルリレー６２３がオンになるので、電源回路６１３からの給電によってメカニカルリレー６１２がオンになる。メカニカルリレー６１２がオンになった場合、電源回路６１４からの給電によってフォトカプラ６１１がオンになるので、光源６１０がオンになる。
【０００５】
制御部６２１とケーブル６３との間にはメカニカルリレー６２３が介在しているので、制御部６２１とケーブル６３とは絶縁されている。従って、ケーブル６３に雷サージが生じたとしても、制御部６２１が雷サージに曝されることが防止される。
電光掲示板６１及び制御機６２夫々の配線間及び配線とアースとの間には複数のサージアブソーバ６４，６４，…が接続されているので、制御部６２１が雷サージに曝されることがより確実に防止される。
【先行技術文献】
【非特許文献】
【０００６】
【非特許文献１】“情報表示システム｜星和電機株式会社”、［online］、［平成２９年４月５日検索］、インターネット＜ＵＲＬ：http://www.seiwa.co.jp/product/it/it_search.html?t=0＞
【考案の概要】
【考案が解決しようとする課題】
【０００７】
しかしながら、メカニカルリレー６２３は高価な大型の部品である。光源６１０毎にメカニカルリレー６２３が用いられた場合、光源６１０の個数が多いほど、制御機６２の高コスト化及び大型化を招く。故に、安全性を損なうことなく、安価で小型の部品でメカニカルリレー６２３を代替することが望まれている。
【０００８】
本考案は斯かる事情に鑑みてなされたものであり、その主たる目的は、安価で小型の部品を用いて雷サージの対策を講じることができる負荷制御装置及び負荷制御システムを提供することにある。
【課題を解決するための手段】
【０００９】
本実施の形態に係る負荷制御装置は、異なる電位間に接続されるスイッチング素子と、該スイッチング素子のオンオフを制御する制御部とを備え、前記スイッチング素子のオンオフに伴って負荷をオンオフさせる負荷制御装置において、前記スイッチング素子に並列に接続されているツェナーダイオードと、前記スイッチング素子の高電位側に、前記スイッチング素子に直列に接続されている整流素子とを備えることを特徴とする。
【００１０】
本実施の形態に係る負荷制御装置は、前記整流素子はアバランシェダイオードであることを特徴とする。
【００１１】
本実施の形態に係る負荷制御装置は、前記スイッチング素子は、フォトカプラに含まれているフォトトランジスタであり、前記制御部は、前記フォトカプラに含まれている発光ダイオードのオンオフを制御することによって前記フォトトランジスタのオンオフを制御するようにしてあることを特徴とする。
【００１２】
本実施の形態に係る負荷制御システムは、本実施の形態に係る負荷制御装置と、該負荷制御装置が備えるスイッチング素子のオンオフに伴ってオンオフされる負荷とを備えることを特徴とする。
【００１３】
本実施の形態に係る負荷制御システムは、前記スイッチング素子のオンオフに伴ってオンオフされる第２のスイッチング素子を更に備え、該第２のスイッチング素子のオンオフに伴って前記負荷への給電がオンオフされるようにしてあることを特徴とする。
【００１４】
本実施の形態に係る負荷制御システムは、前記第２のスイッチング素子は、フォトカプラに含まれているフォトトランジスタであり、該フォトカプラに含まれている発光ダイオードは、前記整流素子の高電位側に、前記整流素子に直列に接続されていることを特徴とする。
【００１５】
本実施の形態に係る負荷制御システムは、前記負荷は光源であり、該光源を用いて情報を表示し、前記負荷制御装置から離隔している電光掲示板と、該電光掲示板及び前記負荷制御装置の間に配線され、前記スイッチング素子の高電位側の通電経路の一部を構成するケーブルとを更に備えることを特徴とする。
【００１６】
本実施の形態にあっては、高電位と低電位との間に整流素子及びスイッチング素子が接続され、各ツェナーダイオードはスイッチング素子に並列に接続される。
例えば雷の影響によって、所定の電圧を超える電圧が各ツェナーダイオードに印加された場合、各ツェナーダイオードに電流が流れ、高電位から低電位へのスイッチング素子を通らない通電経路が形成される。
また、例えば雷の影響によって、低電位から高電位へ向かう方向の過電流が発生した場合、この過電流は整流素子によって遮断される。
【００１７】
以上の結果、スイッチング素子に過電流が流れることが抑制されるので、スイッチング素子を通して過電流が制御部に流れることが抑制される。
ツェナーダイオード及び整流素子は、メカニカルリレーに比べて安価且つ小型である。つまり、安価で小型の部品を用いて雷サージの対策を講じることができる。
【００１８】
本実施の形態にあっては、整流素子がアバランシェダイオードなので、整流素子を回路基板に容易に実装することができる。
【００１９】
本実施の形態にあっては、スイッチング素子が、フォトカプラに含まれているフォトトランジスタであり、制御部は、フォトカプラに含まれている発光ダイオードのオンオフを制御する。即ち、スイッチング素子と制御部とが絶縁されている。故に、過電流が制御部に流れることを更に抑制することができる。
【００２０】
本実施の形態にあっては、スイッチング素子のオンオフに伴って第２のスイッチング素子がオンオフされ、第２のスイッチング素子のオンオフに伴って、負荷への給電がオンオフされる。故に、スイッチング素子を含む電気回路と負荷を含む電気回路とを、第２のスイッチング素子を介して分けることができる。
【００２１】
本実施の形態にあっては、第２のスイッチング素子が、フォトカプラに含まれているフォトトランジスタである。
スイッチング素子のオンオフに伴って、フォトカプラに含まれている発光ダイオードがオンオフされ、発光ダイオードのオンオフに伴って、フォトトランジスタがオンオフされ、フォトトランジスタのオンオフに伴って、負荷への給電がオンオフされる。
即ち、スイッチング素子を含む電気回路と負荷を含む電気回路とが絶縁されている。故に、負荷を含む電気回路に過電流が流れた場合に、スイッチング素子を含む電気回路に過電流が流れることを抑制することができるので、過電流が制御部に流れることを更に抑制することができる。
【００２２】
本実施の形態にあっては、負荷制御システムを、電光掲示板と負荷制御装置とケーブルとを備える電光掲示装置として構成することができる。
【考案の効果】
【００２３】
本実施の形態の負荷制御装置及び負荷制御システムによる場合、安価で小型の部品を用いて雷サージの対策を講じることができる。
【図面の簡単な説明】
【００２４】
【図１】実施の形態に係る負荷制御システムとしての電光掲示装置の要部構成を示す模式図である。
【図２】電光掲示装置の要部構成を示す回路図である。
【図３】比較例としての電光掲示装置の要部構成を示す回路図である。
【図４】実施の形態に係る電光掲示装置と比較例としての電光掲示装置との比較結果を示す図表である。
【図５】従来の電光掲示装置の要部構成を示す回路図である。
【考案を実施するための形態】
【００２５】
以下、本考案を、その実施の形態を示す図面に基づいて詳述する。
【００２６】
図１は、実施の形態に係る負荷制御システムとしての電光掲示装置の要部構成を示す模式図である。
図２は、電光掲示装置の要部構成を示す回路図である。
図中１は電光掲示装置であり、電光掲示装置１は、電光掲示板２及び制御機（負荷制御装置）３を備える。
図中４は支柱であり、屋外（例えば道路脇）に立設されている。支柱４は中空である。
【００２７】
電光掲示板２は支柱４の先端部に取り付けられている。電光掲示板２は、２つの電源回路２０，２１、フォトカプラ２２、抵抗器２３、及び光源（負荷）２４を備える。電光掲示板２には接続端子２５及びアース端子２６が設けられている。
電源回路（電源）２０，２１夫々は、商用電源に接続される入力端子と、出力端子とを有する。電源回路２０，２１夫々は、商用電源の電圧を所定の正電圧に変換して、出力端子から出力する。
【００２８】
フォトカプラ２２には、発光ダイオード２２１及びＮＰＮ型のフォトトランジスタ（第２のスイッチング素子）２２２が含まれている。
発光ダイオード２２１のアノードは電源回路２０の出力端子に接続され、発光ダイオード２２１のカソードは抵抗器２３に接続されている。電源回路２０から給電されることによって、発光ダイオード２２１はオンになる。
抵抗器２３は、発光ダイオード２２１と電光掲示板２の接続端子２５との間に接続されている。抵抗器２３は、発光ダイオード２２１に流れる電流を制限する。
フォトトランジスタ２２２のコレクタは、電源回路２１の出力端子に接続されている。発光ダイオード２２１のオン／オフに伴い、フォトトランジスタ２２２はオン／オフされる。
【００２９】
光源２４は、例えば発光ダイオードである。光源２４は、フォトトランジスタ２２２のエミッタとアース端子２６との間に接続されている。電源回路２１からフォトトランジスタ２２２を通して給電されることによって、光源２４はオンになる。
アース端子２６はアースに接続されている。アース端子２６の電圧は、電源回路２１の電圧よりも低電位である。
【００３０】
電光掲示板２は複数の光源２４，２４，…を備える。光源２４，２４，…は、電光掲示板２の表示面２０にマトリクス状に並置されている。電光掲示板２には、光源２４毎に、フォトカプラ２２、抵抗器２３、及び接続端子２５が設けられている。
【００３１】
制御機３は支柱４の基端部に取り付けられている。制御機３は、電源回路３０、フォトカプラ３１、制御部３２、及び抵抗器３３を備える。また、制御機３には接続端子３４及び２つのグラウンド端子３５，３６が設けられている。
電源回路３０は、商用電源に接続される入力端子と、出力端子とを有する。電源回路３０は、商用電源の電圧を所定の正電圧に変換して、出力端子から出力する。
【００３２】
フォトカプラ３１には、発光ダイオード３１１及びＮＰＮ型のフォトトランジスタ（スイッチング素子）３１２が含まれている。
発光ダイオード３１１のアノードは、制御部３２を介して電源回路３０の出力端子に接続されている。発光ダイオード３１１のカソードは、抵抗器３３を介してグラウンド端子３５に接続されている。電源回路３０から給電されることによって、発光ダイオード３１１はオンになる。
【００３３】
制御部３２は、例えば電源回路３０から給電されて作動するＩＣを有する。制御部３２は、電源回路３０と発光ダイオード３１１との接続を継断する。
抵抗器３３は、発光ダイオード３１１に流れる電流を制限する。
【００３４】
フォトトランジスタ３１２のコレクタは、後述する整流素子３８を介して、制御機３の接続端子３４に接続されている。フォトトランジスタ３１２のエミッタは、グラウンド端子３６に接続されている。
グラウンド端子３５，３６は、夫々グラウンドに接続されている。グラウンド端子３５の電圧は、電源回路３０の電圧よりも低電位であり、グラウンド端子３６の電圧は、電光掲示板２の電源回路２０の電圧よりも低電位である。
制御機３は、光源２４毎に、フォトカプラ３１、制御部３２、抵抗器３３、及び接続端子３４を備える。
【００３５】
電光掲示装置１は、ケーブル１１を更に備える。ケーブル１１は、支柱４の内部を通って、電光掲示板２と制御機３との間に配線されている。ケーブル１１の一端部は電光掲示板２の接続端子２５に接続されており、ケーブル１１の他端部は制御機３の接続端子３４に接続されている。即ち、ケーブル１１は、電源回路２０からグラウンド端子３６への通電経路の一部を構成している。
電光掲示装置１は、光源２４毎にケーブル１１を備える。
【００３６】
制御部３２が、電源回路３０と発光ダイオード３１１とを接続した場合、電源回路３０からグラウンド端子３５へ電流が流れ、発光ダイオード３１１がオンになるので、フォトトランジスタ３１２がオンになる。制御部３２が電源回路３０と発光ダイオード３１１との接続を切断した場合、発光ダイオード３１１がオフになるので、フォトトランジスタ３１２がオフになる。制御部３２は、発光ダイオード３１１のオンオフを制御することによって、フォトトランジスタ３１２をオンオフさせる。
【００３７】
制御部３２は、適宜のタイミングで発光ダイオード３１１をオンオフする。
制御部３２が発光ダイオード３１１をオンにした場合、フォトトランジスタ３１２がオンになるので、電源回路２０からグラウンド端子３６へ電流が流れ、発光ダイオード２２１がオンになる。発光ダイオード２２１がオンになったとき、フォトトランジスタ２２２がオンになるので、電源回路２１からアース端子２６へ電流が流れ、光源２４がオンになる（点灯する）。
【００３８】
制御部３２が発光ダイオード３１１をオフにした場合、フォトトランジスタ３１２、発光ダイオード２２１、及びフォトトランジスタ２２２が何れもオフになるので、光源２４がオフになる（消灯される）。
つまり、制御部３２が発光ダイオード３１１のオンオフを制御することによって、フォトトランジスタ３１２と発光ダイオード２２１との間の通電経路に、フォトトランジスタ２２２をオンオフするための信号が伝わるので、光源２４をオンオフさせることができる。
マトリクス状に並置された光源２４，２４，…の内、一部が点灯し、残部が点灯しないことによって、電光掲示板２の表示面２０に文字又は記号等が表示される。
【００３９】
次に、電光掲示装置１における雷サージの対策について説明する。
制御機３は、光源２４毎に、２つのツェナーダイオード３７，３７と整流素子３８とを更に備える。
各ツェナーダイオード３７は、フォトトランジスタ３１２に並列に逆方向に接続されている。更に詳細には、ツェナーダイオード３７のカソードは、フォトトランジスタ３１２のコレクタと接続端子３４とを接続する導線に接続されている。ツェナーダイオード３７のアノードは、フォトトランジスタ３１２のエミッタとグラウンド端子３６とを接続する導線に接続されている。ツェナーダイオード３７には逆方向バイアス電圧が印加される。
【００４０】
所定の電圧以下の電圧がツェナーダイオード３７に印加されている場合、ツェナーダイオード３７に電流は流れない。一方、所定の電圧を超える電圧がツェナーダイオード３７に印加されている場合、ツェナーダイオード３７は、接続端子３４からグラウンド端子３６へ向かう方向の電流を流す。
なお、フォトトランジスタ３１２に並列に接続されるツェナーダイオード３７の個数は２つに限定されず、１つでも３つ以上でもよいが、複数であることが望ましい。
【００４１】
整流素子３８は、フォトトランジスタ３１２のコレクタと接続端子３４との間にてフォトトランジスタ３１２に直列に順方向に接続されている。整流素子３８には順方向バイアス電圧が印加される。整流素子３８は、接続端子３４からグラウンド端子３６へ向かう方向の電流を流し、グラウンド端子３６から接続端子３４へ向かう方向の電流を流さない。
整流素子３８としては、回路基板への実装が容易なアバランシェダイオードが望ましいが、これに限定されるものではない。整流素子３８は、例えばツェナーダイオードでもよい。
電光掲示板２の発光ダイオード２２１は、電源回路２０から整流素子３８への通電経路にて整流素子３８に直列に接続されている。
【００４２】
例えば雷の影響によって、所定の電圧を超える電圧がフォトトランジスタ３１２及びツェナーダイオード３７，３７夫々に印加された場合、ツェナーダイオード３７，３７夫々に電流が流れ、接続端子３４からグラウンド端子３６へのフォトトランジスタ３１２を通らない通電経路が形成される。故に、接続端子３４からグラウンド端子３６へ向かう方向の過電流は、整流素子３８及びツェナーダイオード３７を通ってグラウンド端子３６へ流れる。即ち、接続端子３４からグラウンド端子３６へ向かう方向の過電流がフォトトランジスタ３１２に流れることが抑制される。
また、例えば雷の影響によって、グラウンド端子３６から接続端子３４へ向かう方向の過電流が生じた場合、この過電流は整流素子３８によって遮断される。即ち、グラウンド端子３６から接続端子３４へ向かう方向の過電流がフォトトランジスタ３１２に流れることが抑制される。
【００４３】
しかも、制御機３において、接続端子３４、フォトトランジスタ３１２、及びグラウンド端子３６を含む電気回路と、電源回路３０、制御部３２、発光ダイオード３１１、抵抗器３３、及びグラウンド端子３５を含む電気回路とは絶縁されている。更に、電光掲示板２において、電源回路２０、発光ダイオード２２１、抵抗器２３、及び接続端子２５を含む電気回路と、電源回路２１、フォトトランジスタ２２２、光源２４、及びアース端子２６を含む電気回路とは絶縁されている。
【００４４】
以上の結果、電源回路２０からグラウンド端子３６への通電経路、又は電源回路２１からアース端子２６への通電経路に雷サージ（過電流）が生じたとしても、制御部３２が雷サージに曝されることを抑制することができる。
【００４５】
フォトカプラ２２，３１、各ツェナーダイオード３７、及び整流素子３８は、メカニカルリレーに比べて安価且つ小型である。つまり、電光掲示装置１においては、安価で小型の部品を用いて雷サージの対策を講じることができる。
【００４６】
一方、例えば雷の影響がなく、電源回路２０が出力した電圧がフォトトランジスタ３１２及びツェナーダイオード３７，３７夫々に印加された場合、ツェナーダイオード３７，３７夫々に電流は流れない。即ち、接続端子３４からグラウンド端子３６へ向かう方向の過電流は、整流素子３８及びフォトトランジスタ３１２を通ってグラウンド端子３６へ流れ、ツェナーダイオード３７，３７夫々には流れない。故に、特段の問題なくフォトトランジスタ３１２をオンオフすることができる。
【００４７】
図３は、比較例としての電光掲示装置の要部構成を示す回路図である。
図３に示す電光掲示装置の構成は図２に示す電光掲示装置１の構成と略同様であるが、図３に示す電光掲示装置を構成している制御機３は、ツェナーダイオード３７，３７及び整流素子３８を備えておらず、３つのサージアブソーバ５１，５２，５３を備える。
サージアブソーバ５１，５２，５３は夫々バリスタであり、所定の電圧を超える電圧が印加された場合に電流を流す。
【００４８】
一のサージアブソーバ５１は、フォトトランジスタ３１２に並列になるよう、フォトトランジスタ３１２のコレクタと接続端子３４とを接続する導線及びフォトトランジスタ３１２のエミッタとグラウンド端子３６とを接続する導線の間に接続されている。
他のサージアブソーバ５２は、フォトトランジスタ３１２のコレクタと接続端子３４とを接続する導線及びアースの間に接続されている。更に他のサージアブソーバ５３は、フォトトランジスタ３１２のエミッタとグラウンド端子３６とを接続する導線及びアースの間に接続されている。
【００４９】
サージアブソーバ５１に電流が流れた場合、接続端子３４からグラウンド端子３６へのフォトトランジスタ３１２を通らない通電経路が形成されるので、フォトトランジスタ３１２に電流が流れることが抑制される。
サージアブソーバ５２，５３夫々に電流が流れた場合、接続端子３４からアースへのフォトトランジスタ３１２を通らない通電経路が形成されるので、フォトトランジスタ３１２に電流が流れることが抑制される。
【００５０】
考案者らは、図２に示す電光掲示装置１と図３に示す比較例としての電光掲示装置とを比較するために、ＪＩＳ  Ｃ  ６１０００−４−５の規格に基づくサージイミュニティ試験を行なった。
図４は、実施の形態に係る電光掲示装置１と比較例としての電光掲示装置との比較結果を示す図表である。
考案者らは、ノーマルモードの試験とコモンモードの試験とを行なった。ノーマルモードの試験では、フォトトランジスタ３１２のコレクタ及びエミッタ夫々に接続されている導線間に電圧が印加された。コモンモードの試験では、フォトトランジスタ３１２のコレクタに接続されている導線とグラウンド端子３６との間に電圧が印加された。
【００５１】
各試験では、１kV、２kV、及び６kVの電圧が夫々印加された。また、電圧の印加は、正電圧及び負電圧を交互に５回ずつ６０秒間隔で合計１０回行なわれた。
各試験においては、電圧の印加毎に、制御部３２による光源２４のオンオフの可否が確認された。図４には、光源２４のオンオフが可能であった場合が「ＯＫ」で示され、光源２４のオンオフが不可能であった場合が記号「ＮＧ」で示されている。
【００５２】
図２に示す電光掲示装置１の場合、ノーマルモードの試験及びコモンモードの試験夫々において、６kVの電圧の印加後であっても、特段の問題なく光源２４をオンオフすることができた。
これは、ツェナーダイオード３７，３７及び整流素子３８による雷サージの対策が適切であることを意味している。
【００５３】
一方、図３に示す比較例としての電光掲示装置の場合、コモンモードの試験において、１kVの負電圧の５回目の印加後に、光源２４をオンオフすることができなくなった。またり、コモンモードの試験において、２kVの負電圧の３回目の印加後に、光源２４をオンオフすることができなくなった。
これは、サージアブソーバ５１，５２，５３による雷サージの対策が不適切であることを意味している。
考案者らは、比較例としての電光掲示装置において６kVの電圧を印加する試験は行なわなかったので、図４には記号「／」が示されている。
【００５４】
更に、考案者らは、図３に示す電光掲示装置において、フォトトランジスタ３１２に並列にツェナーダイオードを接続した場合、及びフォトトランジスタ３１２に直列にアバランシェダイオードを追加した場合夫々について、サージイミュニティ試験を行なった（不図示）。しかしながら、何れの場合においても、ノーマルモードの試験において、２kVの正電圧の１回目の印加後に、光源２４をオンオフすることができなくなった。
これは、サージアブソーバ５１，５２，５３とツェナーダイオード又はアバランシェダイオードとによる雷サージの対策が不適切であることを意味している。
【００５５】
以上のように、制御機３及び制御機３を備える電光掲示装置１においては、安全性を損なうことなく、安価で小型の部品でメカニカルリレーを代替することができる。
【００５６】
なお、電光掲示装置１は、電光掲示板２及び制御機３が支柱４の先端部及び基端部に取り付けられている構成に限定されない。例えば、電光掲示装置１は、電光掲示板２がトンネルの天井から吊り下げられ、制御機３がトンネルの入り口に設置されている構成でもよい。
制御機３は、複数のサージアブソーバを更に備えていてもよい。この場合、例えば図３に示すサージアブソーバ５１，５２，５３が、図２に示す制御機３に追加される。
【００５７】
制御機３は、全ての光源２４，２４，…についてツェナーダイオード３７，３７及び整流素子３８による雷サージ対策を行なう構成に限定されない。例えば、制御機３は、一部の光源２４，２４，…について、従来通りメカニカルリレーによる雷サージ対策を行なう構成でもよい（図５に示す制御機６２参照）。
負荷制御装置がオンオフさせる負荷は光源に限定されず、例えばモータでもよい。
【００５８】
今回開示された実施の形態は、全ての点で例示であって、制限的なものではないと考えられるべきである。本考案の範囲は、上述した意味ではなく、実用新案登録請求の範囲と均等の意味及び実用新案登録請求の範囲内での全ての変更が含まれることが意図される。
【符号の説明】
【００５９】
１      電光掲示装置（負荷制御システム）
１１    ケーブル
２      電光掲示板
２４    光源（負荷）
２２    フォトカプラ
２２１  発光ダイオード
２２２  フォトトランジスタ（第２のスイッチング素子）
３      制御機（負荷制御装置）
３１    フォトカプラ
３１１  発光ダイオード
３１２  フォトトランジスタ（スイッチング素子）
３２    制御部
３７    ツェナーダイオード
３８    整流素子
【図１】
0003211461.tif 000003
【図２】
0003211461.tif 000004
【図３】
0003211461.tif 000005
【図４】
0003211461.tif 000006
【図５】
0003211461.tif 000007